(57)【特許請求の範囲】
【請求項１】
未装着状態において平面状かつ布状で、装着状態において鼻及び口を覆うマスク本体と、前記マスク本体の左端及び右端にそれぞれ取り付けられて左右の耳に掛けられる紐状部材と、を備え、
前記未装着状態の前記マスク本体は、表側に位置して上側を被覆する第１被覆部と前記第１被覆部の裏側に位置して下側を被覆する第２被覆部とを有し、
前記第１被覆部の下端側と前記第２被覆部の上端側とは、開口可能な重ね合わせ部を形成するとともに、前記第２被覆部に下方に引くことによって開口を補助するシート状の取っ手を有する、
ことを特徴とするマスク。
【請求項２】
前記取っ手は、指で触れたときに、前記取っ手を知らしめる突起を有する、
ことを特徴とする請求項１に記載のマスク。
【請求項３】
前記取っ手は、前記第２被覆部の上端近傍に取り付けられている、
ことを特徴とする請求項１又は２に記載のマスク。
【請求項４】
前記未装着状態において、前記取っ手は、前記第１被覆部の下端側に覆われている、
ことを特徴とする請求項１ないし３のいずれか１項に記載のマスク。
【請求項５】
前記開口可能な重ね合わせ部は、前記マスク本体の左右方向の中心を通る中心線に対して左右振り分けに配置されており、左右方向の寸法が、前記マスク本体の左右方向の寸法よりも短い、
ことを特徴とする請求項１ないし４のいずれか１項に記載のマスク。
【請求項６】
前記第１被覆部の下端は、下に向かって凹状に形成され、前記第２被覆部の上端は、上に向かって凹状に形成されている、
ことを特徴とする請求項１ないし５のいずれか１項に記載のマスク。
【請求項７】
前記マスク本体の左端及び右端に、型崩れを防止するためのパッキンが装着されている、
ことを特徴とする請求項１ないし６のいずれか１項に記載のマスク。
【発明の詳細な説明】
【技術分野】
【０００１】
本発明は、表側の第１被覆部の下端側と裏側の第２被覆部の上端側とが開口可能な重畳部分を形成したマスクに関する。
【背景技術】
【０００２】
従来、マスクをしたままで飲食や喫煙が可能なマスクが特許文献１に提案されている。
このものは、［要約］の［解決手段］に、
【０００３】
「鼻と口を覆う被覆部１０と、被覆部１０の両側に設けられた耳掛け２０とを有するマスクである。被覆部１０は、第一被覆部１１と、第一被覆部１１と部分的に重複される第二被覆部１２とを有する。そして、これら両被覆部の重複箇所を開口可能に構成される。マスクの被覆部１０に開口可能な重複箇所を設けることで、この重複箇所を開いてストロー３０やタバコなどを挿入し、口にすることができるため、マスクを外すことなく飲食や喫煙が可能になる。」
と記載されている。
【先行技術文献】
【特許文献】
【０００４】
【特許文献１】特開２００６−１９８３０５号公報
【発明の概要】
【発明が解決しようとする課題】
【０００５】
しかしながら、上述の従来技術によると、重複箇所を開口するために、手の指が鼻や口に触れてしまうおそれがあるという問題があった。
【０００６】
すなわち、手の指にウイルスが付いていた場合、その指で重複箇所を開口しようとすると、指が鼻や口に触れて、ここからウイルスが体内に入るおそれがある。
【０００７】
本発明は、上述した事情に鑑みてなされたものであり、マスクに設けた開口部を開く際に、指が鼻や口に触れないようにしたマスクを提供することを目的とする。
【課題を解決するための手段】
【０００８】
請求項１に係る発明は、マスクにおいて、未装着状態において平面状かつ布状で、装着状態において鼻及び口を覆うマスク本体と、前記マスク本体の左端及び右端にそれぞれ取り付けられて左右の耳に掛けられる紐状部材と、を備え、前記未装着状態の前記マスク本体は、表側に位置して上側を被覆する第１被覆部と前記第１被覆部の裏側に位置して下側を被覆する第２被覆部とを有し、前記第１被覆部の下端側と前記第２被覆部の上端側とは、開口可能な重ね合わせ部を形成するとともに、前記第２被覆部に下方に引くことによって開口を補助するシート状の取っ手を有する、ことを特徴とする。
【０００９】
請求項２に係る発明は、請求項１に係るマスクにおいて、前記取っ手は、指で触れたときに、前記取っ手を知らしめる突起を有する、ことを特徴とする。
【００１０】
請求項３に係る発明は、請求項１又は２に係るマスクにおいて、前記取っ手は、前記第２被覆部の上端近傍に取り付けられている、ことを特徴とする。
【００１１】
請求項４に係る発明は、請求項１ないし３のいずれか１項に係るマスクにおいて、前記未装着状態において、前記取っ手は、前記第１被覆部の下端側に覆われている、ことを特徴とする。
【００１２】
請求項５に係る発明は、請求項１ないし４のいずれか１項に係るマスクにおいて、前記開口可能な重ね合わせ部は、前記マスク本体の左右方向の中心を通る中心線に対して左右振り分けに配置されており、左右方向の寸法が、前記マスク本体の左右方向の寸法よりも短い、ことを特徴とする。
【００１３】
請求項６に係る発明は、請求項１ないし５のいずれか１項に係るマスクにおいて、前記第１被覆部の下端は、下に向かって凹状に形成され、前記第２被覆部の上端は、上に向かって凹状に形成されている、ことを特徴とする。
【００１４】
請求項７に係る発明は、請求項１ないし６のいずれか１項に係るマスクにおいて、前記マスク本体の左端及び右端に、型崩れを防止するためのパッキンが装着されている、ことを特徴とする。
【発明の効果】
【００１５】
請求項１の発明によれば、マスクにおいて、未装着状態において平面状かつ布状で、装着状態において鼻及び口を覆うマスク本体と、マスク本体の左端及び右端にそれぞれ取り付けられて左右の耳に掛けられる紐状部材と、を備え、未装着状態のマスク本体は、表側に位置して上側を被覆する第１被覆部と第１被覆部の裏側に位置して下側を被覆する第２被覆部とを有し、第１被覆部の下端側と第２被覆部の上端側とは、開口可能な重ね合わせ部を形成するとともに、第２被覆部に下方に引くことによって開口を補助するシート状の取っ手を有する。
【００１６】
これにより、マスクの取っ手を右手又は左手の親指と人差し指とで摘まんで下方に引くことにより、第２被覆部の上端を下げ、口に合わせて重ね合わせ部を開口することができる。すなわち、取っ手を下方に引くことにより、開口に際し、指が鼻や口に直接、触れるのを確実に防止して、手に付いたウイルスが鼻や口から体内に入ることを防止することができる。
【００１７】
請求項２の発明によれば、取っ手は、指で触れたときに、取っ手を知らしめる突起を有する。
【００１８】
これにより、マスクの使用者は、突起に触れることにより、取っ手を確実につかむことができる。
【００１９】
請求項３の発明によれば、取っ手は、第２被覆部の上端近傍に取り付けられている。
【００２０】
これにより、取っ手を下方に引くことにより、重ね合わせ部を確実に開口することができる。
【００２１】
請求項４の発明によれば、未装着状態において、取っ手は、第１被覆部の下端側に覆われている。
【００２２】
これにより、未装着状態において、取っ手を外部から見えないようにすることができる。
【００２３】
請求項５の発明によれば、開口可能な重ね合わせ部は、マスク本体の左右方向の中心を通る中心線に対して左右振り分けに配置されており、左右方向の寸法が、マスク本体の左右方向の寸法よりも短い。
【００２４】
これにより、開口可能な重ね合わせ部が、必要以上に大きく開口するのを防止することができる。
【００２５】
請求項６の発明によれば、第１被覆部の下端は、下に向かって凹状に形成され、第２被覆部の上端は、上に向かって凹状に形成されている。
【００２６】
これにより、重ね合わせ部を開口したときに、口の形状に倣って開口することができる。
【００２７】
請求項７の発明によれば、マスク本体の左端及び右端に、型崩れを防止するためのパッキンが装着されている。
【００２８】
これにより、重ね合わせ部の開口を円滑に行うことができる。
【図面の簡単な説明】
【００２９】
【図１】未装着状態のマスク１を表側から見た図である。
【図２】未装着状態のマスク１を裏側から見た図である。
【発明を実施するための形態】
【００３０】
以下、本発明を適用した実施形態を、図面に基づいて詳述する。なお、各図面において、同じ符号を付した部材等は、同一又は類似の構成のものであり、これらについての重複説明は適宜省略するものとする。また、各図面においては、説明に不要な部材等は適宜、図示を省略している。
＜実施形態１＞
【００３１】
図１〜図２を参照して本発明を適用した実施形態１に係るマスク１について説明する。
【００３２】
ここで、図１は、未装着状態のマスク１を表側から見た図である。また、図２は、未装着状態のマスク１を裏側から見た図である。
【００３３】
マスク１は、図１、図２に示すように、未装着状態において平面状かつ布状のマスク本体１０と、マスク本体１０の左端１０ａ及び右端１０ｂのそれぞれに取り付けられた紐状部材２０とを備えている。
【００３４】
マスク本体１０は、紐状部材２０を左右の耳（不図示）に掛けた装着状態において、鼻及び口（いずれも不図示）を覆うようになっている。
【００３５】
さらに、マスク本体１０は、第１被覆部１１と第２被覆部１２とを有している。
【００３６】
第１被覆部１１は、左端１１ａ、右端１１ｂ、上端１１ｃ、及び下端１１ｄ有している。また、第２被覆部１２は、左端１２ａ、右端１２ｂ、上端１２ｃ、及び下端１２ｄ有している。第１被覆部１１の上端１１ｃ及び下端１１ｄは、下に向かって凹状に形成されている。また、第２被覆部１２の上端１２ｃ及び下端１２ｄは、上に向かって凹状に形成されている。
【００３７】
第１被覆部１１は、第２被覆部１２に対し、表側に位置して上側（主に鼻）を被覆している。また、第２被覆部１２は、第１被覆部１１の裏側に位置して下側（主に口）を被覆している。
【００３８】
重ね合わせ部１１ｅ，１２ｅは、第１被覆部１１の下端１１ｄ側と第２被覆部１２の上端１２ｃ側とが重なる部分である。すなわち、第１被覆部１１と第２被覆部１２とは、開口可能な重ね合わせ部１１ｅ，１２ｅを形成している。重ね合わせ部１１ｅは、第１被覆部１１のうち、下端１１ｄと第２被覆部１２の上端１２ｃとの間に位置する部分である。また、重ね合わせ部１２ｅは、第２被覆部１２のうち、上端１２ｃと第１被覆部１１の下端１２ｄとの間に位置する部分である。
【００３９】
重ね合わせ部１１ｅ，１２ｅのうち、開口可能な部分は、マスク本体１０の左右方向の中心を通る中心線ＣＬに対して左右振り分けに配置されており、左右方向の寸法Ｂが、マスク本体１０の左右方向の寸法Ａよりも短くなっている。
【００４０】
第１被覆部１１の下端１１ｄのうち、寸法Ｂよりも外側に位置する部分は、例えば、第２被覆部１２に縫い付けられている。同様に、第２被覆部１２の上端１２ｃのうち、寸法Ｂよりも外側に位置する部分は、例えば、第１被覆部１１に縫い付けられている。
【００４１】
第２被覆部１２には、シート状の取っ手１３が設けられている。本実施例では、取っ手１３は、三日月形に形成されており、第１被覆部１１と第２被覆部１２との間に配置され、その上端が第２被覆部１２の上端１２ｃ近傍に取り付けられている。取っ手１３は、第１被覆部１１の下端１１ｄ側によって覆われており、マスク１の表面側からは目視することができない。また、取っ手１３は、マスク１の裏面側からも第２被覆部１２の陰になって、目視することができない。このように、取っ手１３は、マスク１の表面側及び裏面側の双方から見えないため、マスク１の美観を損なうことはない。
【００４２】
取っ手１３には、突起１４が設けられている。この突起１４は、指で触ることにより、取っ手１３の位置を確認することができるので、取っ手１３をブラインドタッチすることができる。
【００４３】
突起１４の付いた取っ手１３は、眼で見ることなく、確実に指で下方に引くことにより、重ね合わせ部１１ｅ，１２ｅを開口することができる。
【００４４】
マスク本体の左端１０ａ及び右端１０ｂには、マスク１全体の型崩れを防止するためのパッキン１５が装着されている。
以下、マスク１の作用、効果を纏める。
【００４５】
・マスク１は、未装着状態において平面状かつ布状で、装着状態において鼻及び口を覆うマスク本体１０と、マスク本体１０の左端１０ａ及び右端１０ｂにそれぞれ取り付けられて左右の耳に掛けられる紐状部材２０とを備え、未装着状態のマスク本体１０は、表側に位置して上側を被覆する第１被覆部１１と第１被覆部１１の裏側に位置して下側を被覆する第２被覆部１２とを有し、第１被覆部１１の下端側と第２被覆部の上端側１２とは、開口可能な重ね合わせ部１１ｅ，１２ｅを形成するとともに、第２被覆部１２に下方に引くことによって開口を補助するシート状の取っ手１３を有する。
【００４６】
これにより、マスクの取っ手１３を右手又は左手の親指と人差し指とで摘まんで下方に引くことにより、第２被覆部１２の上端１２ｃを下げ、口に合わせて重ね合わせ部１１ｅ，１２ｅを開口することができる。すなわち、取っ手１３を下方に引くことにより、開口に際し、指が鼻や口に直接、触れるのを確実に防止して、手に付いたウイルスが鼻や口から体内に入ることを防止することができる。
【００４７】
・取っ手１３は、指で触れたときに、取っ手を知らしめる突起１４を有する。
【００４８】
これにより、マスク１の使用者は、突起に触れることにより、取っ手１３を確実につかむことができる。
【００４９】
・取っ手１３は、第２被覆部１２の上端１２ｃ近傍に取り付けられている。
【００５０】
これにより、取っ手１３を下方に引くことにより、重ね合わせ部１１ｅ，１２ｅを確実に開口することができる。
【００５１】
・未装着状態において、取っ手１３は、第１被覆部１１の下端１１ｄ側に覆われている。
【００５２】
これにより、未装着状態において、取っ手１３を外部から見えないようにすることができる。
【００５３】
・開口可能な重ね合わせ部１１ｅ，１２ｅは、マスク本体１０の左右方向の中心を通る中心線ＣＬに対して左右振り分けに配置されており、左右方向の寸法Ｂが、マスク本体１０の左右方向の寸法Ａよりも短い。
【００５４】
これにより、開口可能な重ね合わせ部１１ｅ，１２ｅが、必要以上に大きく開口するのを防止することができる。
【００５５】
・第１被覆部１１の下端１１ｄは、下に向かって凹状に形成され、第２被覆部１２の上端１２ｃは、上に向かって凹状に形成されている。
【００５６】
これにより、重ね合わせ部１１ｅ，１２ｅを開口したときに、口の形状に倣って開口することができる。
【００５７】
・マスク本体１０の左端１０ａ及び右端１０ｂに、型崩れを防止するためのパッキン１５が装着されている。
【００５８】
これにより、重ね合わせ部１１ｅ，１２ｅの開口を円滑に行うことができる。
【符号の説明】
【００５９】
１      マスク
１０    マスク本体
１０ａ  左端
１０ｂ  右端
２０    紐状部材
１１    第１被覆部
１１ｄ  下端
１１ｅ，１２ｅ
重ね合わせ部
１２    第２被覆部
１２ｃ  上端
１３    取っ手
１４    突起
１５    パッキン
Ａ      マスク本体の左右方向の寸法
Ｂ      重ね合わせ部の左右方向の寸法
ＣＬ    中心線
【要約】
【課題】マスクに設けた開口部を開く際に、指が鼻や口に触れないようにしたマスクを提供する。
【解決手段】マスク１は、未装着状態において平面状かつ布状で、装着状態において鼻及び口を覆うマスク本体１０と、マスク本体１０の左端１０ａ及び右端１０ｂにそれぞれ取り付けられて左右の耳に掛けられる紐状部材２０とを備え、未装着状態のマスク本体１０は、表側に位置して上側を被覆する第１被覆部１１と第１被覆部１１の裏側に位置して下側を被覆する第２被覆部１２とを有し、第１被覆部１１の下端１１ｄ側と第２被覆部１２の上端１２ｃ側とは、開口可能な重ね合わせ部１１ｅ，１２ｅを形成するとともに、第２被覆部１２に下方に引くことによって開口を補助するシート状の取っ手１３を有する。
【選択図】図１【図１】
0006956235.tif 000002
【図２】
0006956235.tif 000003